(57)【特許請求の範囲】
【請求項１】
シートに配置した複数の電極に対し、容量値測定用の信号を印加して前記電極の静電容量を計測することにより、前記電極を覆う乗員の大きさを判別する乗員判別方法において、
前記複数の電極に対し、順次、信号を印加し、信号を印加した電極及び信号を印加しない電極の全ての電極の電流に基づく静電容量を測定し、各静電容量の測定値に基づいて乗員と周囲の導体間の静電容量の影響を排除した各電極の容量値を算出し、該容量値から乗員の大きさを判別することを特徴とする乗員判別方法。
【請求項２】
シートに配置した複数の電極に対し、容量値測定用の信号を印加して前記電極の静電容量を計測することにより、前記電極を覆う乗員の大きさを判別する乗員判別方法において、
前記複数の電極に対し、順次、前記信号を印加するとともに、他の電極には前記信号と異なる信号レベルの信号を印加し、それぞれ全ての電極の電流に基づく静電容量を測定し、各静電容量の測定値に基づいて乗員と周囲の導体間の静電容量の影響を排除した各電極の容量値を算出し、該容量値から乗員の大きさを判別することを特徴とする乗員判別方法。
【請求項３】
前記信号はパルス信号であることを特徴とする請求項１又は２記載の乗員判別方法。
【請求項４】
前記容量値を合計した全容量値を所定の閾値と比較することにより、乗員の大小を判別することを特徴とする請求項１、２又は３記載の乗員判別方法。
【請求項５】
前記閾値として２つの閾値を用い、乗員が存在しないことをも判別することを特徴とする請求項１ないし４の何れか１つの請求項記載の乗員判別方法。
【請求項６】
前記複数の電極はシート上面部及び／又はシート背もたれ部に配置することを特徴とする請求項１ないし５の何れか１つの請求項記載の乗員判別方法。
【請求項７】
シートに配置した複数の電極に対し、容量値測定用の信号を印加して前記電極に形成される静電容量を計測することにより、前記電極を覆う乗員の大きさを判別する乗員判別装置において、
前記信号を出力する信号源と、各電極に流れる電流により静電容量を測定する複数の容量値測定回路と、前記複数の電極に対する前記信号源の接続を順次切り替える切替回路と、前記信号源のそれぞれの切り替え状態における前記容量値測定回路のそれぞれの測定値に基づいて乗員と周囲の導体間の静電容量の影響を排除した各電極の容量値を算出し、前記各電極の容量値により乗員の大きさを判別する演算回路と、を有することを特徴とする乗員判別装置。
【請求項８】
シートに配置した複数の電極に対し、前記電極に容量値測定用の信号を印加して前記電極に形成される静電容量を計測することにより、前記電極を覆う乗員の大きさを判別する乗員判別装置において、
前記信号を出力する第１の信号源と、前記信号の信号レベルと異なる信号を出力する複数の第２の信号源と、各電極に流れる電流により静電容量を測定する複数の容量値測定回路と、前記複数の電極に対し前記第１の信号源及び第２の信号源の接続を順次切り替える切替回路と、前記第１及び第２の信号源のそれぞれの切り替え状態における前記容量値測定回路のそれぞれの測定値に基づいて乗員と周囲の導体間の静電容量の影響を排除した各電極の容量値を算出し、前記各電極の容量値により乗員の大きさを判別する演算回路と、を有することを特徴とする乗員判別装置。
【請求項９】
前記信号はパルス信号であることを特徴とする請求項７又は８記載の乗員判別装置。
【請求項１０】
前記演算回路は、前記各電極の容量値を合計した容量値を所定の閾値と比較する比較回路を備えることを特徴とする請求項７、８又は９記載の乗員判別装置。
【請求項１１】
前記比較回路は、閾値として２つの閾値を有し、乗員が存在しないことをも判別することを特徴とする請求項１０記載の乗員判別装置。
【請求項１２】
前記複数の電極はシート上面部及び／又はシート背もたれ部に配置されることを特徴とする請求項１ないし１１の何れか１つの請求項記載の乗員判別装置。
【発明の詳細な説明】
【０００１】
【発明が属する技術分野】
本発明は、乗員判別技術に関し、特に、座席シートに着座した乗員の大きさ、特に、大人か子供かを正確に判別する乗員判別方法及び乗員判別装置に関する。
【０００２】
【従来の技術】
従来より２つの電極間の静電容量が人員の有無により変化することを利用して、自動車等のシート上の人員の有無を電気的に判別する判別技術が知られている（特開平３−２３３３９１号公報、特開平７−２７０５４１号公報、特開２０００−２４９７７３号公報）。また、ハンドル中央部に配置した複数の導電性電極間の静電容量の変化により乗員の身体、姿勢等の判別を行い衝撃時のエアーバックの制御に利用可能な判別技術も知られている（特開平１１−３３７４２７号公報、特開平１１−３３７４２７号公報）。
【０００３】
ところで、従来より車両のエアーバック装置にあっては、助手席側の乗員が大人であるか子供であるかに拘わらず衝撃を受ければエアーバックが展開するシステムが使用されてきているが、近年、座高の低い子供の場合は、エアーバックが展開しないほうが却って安全であることが分かってきた。
このことにより、座席シートに乗員判別装置を装備し、衝撃時に大人の場合はエアーバックが展開するが子供の場合はエアーバックが展開しないように制御するものが考えだされてきた。このため乗員判別装置として大人か子供かの判定を可能とする必要があり、かかる乗員判別装置が特開平１１−２５８３５４号公報、特開平１１−２７１４６３号公報に記載されている。
【０００４】
図１０は、前記公報記載の従来の乗員判別装置の構造を示す図である。この乗員判別装置では、複数のアンテナ電極１Ａ、２Ａと、前記複数のアンテナ電極を送信側と受信側に接続を切り替えるスイッチ３Ａと、発信器５Ａと、電極に流れる電流を電圧に変換する電流電圧変換回路４Ａと、前記電流電圧変換回路４Ａの出力により前記発信器５Ａと前記送信側のアンテナ電極間に存在する送信側からみた電極間容量を検出する電極間容量検出回路６Ａと、乗員判別回路７Ａとから構成されている。この乗員判別装置では、前記電極間容量検出回路６Ａから得られるアンテナ電極間の容量値の変化により大人か子供かを判別するものである。
【０００５】
【発明が解決しようとする課題】
従来の複数の電極間の静電容量の変化等により単に人員の有無、姿勢等を判別する判別技術では、乗員の大小によりエアーバック等の制御を精緻に行うことは不可能である。これに対し図１０に示す従来の乗員判別装置では、アンテナ電極を覆っている乗員の面積の違いによりアンテナ電極間の容量値に変化が生じることを利用し、この容量値の変化を測定して大人か子供かを判別できるようにしている。
【０００６】
しかし、図１０に示すような乗員判別装置においては、乗員とアンテナ電極以外の周囲の車体金属（ＧＮＤ）との間にも静電容量が形成されており、また、通常シート上の乗員は常に同じ姿勢でいることはあり得ないことであり種々の姿勢をとるものであるから、乗員の姿勢に応じて乗員と前記車体金属（ＧＮＤ）等との間の静電容量値（Ｃｇ）も変化するため、前記静電容量値（Ｃｇ）を含む乗員とアンテナ電極間の容量の合成値であるアンテナ電極間容量値の測定値に、乗員の姿勢により変化する容量成分による誤差が生じる。特に、静電容量Ｃｇは、乗員が車のシャーシ等の金属部分に接近又は接触することで大きい値に変化するため、かかる場合に電極間容量の検出値が大きく変化し、その大きさにより乗員の大小を判断することは極めて困難となる。
従って、単にアンテナ電極間容量値の大きさから乗員が大人か子供かを判別する判別方法では、正しい乗員の大小判別を実現することは困難であるという難点がある。
【０００７】
（目的）
本発明の目的は、大人か子供かを正確に判別することが可能な乗員判別方法及び乗員判別装置を提供することにある。
本発明の他の目的は、大人か子供かの判別に影響する乗員と周囲の車体金属部等との間の容量を排除し、誤判別を防止することを可能とする乗員判別方法及び乗員判別装置を提供することにある。
【０００８】
【課題を解決するための手段】
本発明の乗員判別方法は、シートに配置した複数の電極に対し、容量値測定用の信号を印加して前記電極の静電容量を計測することにより、前記電極を覆う乗員の大きさを判別する乗員判別方法において、前記複数の電極に対し、順次、信号を印加し、信号を印加した電極及び信号を印加しない電極の全ての電極の電流に基づく静電容量を測定し、各静電容量の測定値に基づいて乗員と周囲の導体間の静電容量の影響を排除した各電極の容量値を算出し、該容量値から乗員の大きさを判別することを特徴とする。
【０００９】
本発明の乗員判別方法は、シートに配置した複数の電極に対し、容量値測定用の信号を印加して前記電極の静電容量を計測することにより、前記電極を覆う乗員の大きさを判別する乗員判別方法において、前記複数の電極に対し、順次、前記信号を印加するとともに、他の電極には前記信号と異なる信号レベルの信号を印加し、それぞれ全ての電極の電流に基づく静電容量を測定し、各静電容量の測定値に基づいて乗員と周囲の導体間の静電容量の影響を排除した各電極の容量値を算出し、該容量値から乗員の大きさを判別することを特徴とする。
本発明の乗員判別装置は、シートに配置した複数の電極に対し、容量値測定用の信号を印加して前記電極に形成される静電容量を計測することにより、前記電極を覆う乗員の大きさを判別する乗員判別装置において、前記信号を出力する信号源（例えば図２の信号源１０）と、各電極に流れる電流により静電容量を測定する複数の容量値測定回路（例えば図２の電流電圧変換回路５、６、電極間容量検出回路７、８）と、前記複数の電極に対する前記信号源の接続を順次切り替える切替回路（例えば図２のスイッチ回路１１）と、前記信号源のそれぞれの切り替え状態における前記容量値測定回路のそれぞれの測定値に基づいて乗員と周囲の導体間の静電容量の影響を排除した各電極の容量値を算出し、前記各電極の容量値により乗員の大きさを判別する演算回路（例えば図２の演算回路９）とを有することを特徴とする。
【００１０】
本発明の乗員判別装置は、シートに配置した複数の電極に対し、前記電極に容量値測定用の信号を印加して前記電極に形成される静電容量を計測することにより、前記電極を覆う乗員の大きさを判別する乗員判別装置において、前記信号を出力する第１の信号源（例えば図９の１０１）と、前記信号の信号レベルと異なる信号を出力する複数の第２の信号源（例えば図９の１０２、１０３、１０４）と、各電極に流れる電流により静電容量を測定する複数の容量値測定回路と、前記複数の電極に対し前記第１の信号源及び第２の信号源の接続を順次切り替える切替回路と、前記第１及び第２の信号源のそれぞれの切り替え状態における前記容量値測定回路のそれぞれの測定値に基づいて乗員と周囲の導体間の静電容量の影響を排除した各電極の容量値を算出し、前記各電極の容量値により乗員の大きさを判別する演算回路とを有することを特徴とする。
【００１１】
（作用）
シートに配置された２つ以上の電極に順次選択的に静電容量の測定用の信号を印加し、各電極を送信状態と受信状態とに切り替え、それぞれの状態での各電極からみた静電容量を測定することにより電極上の乗員の有無、大小を判別する構成を備える。それぞれの電極で検出した送信状態時と受信状態時の静電容量から各電極と乗員間の静電容量（電極を覆う乗員の面積に比例）を乗員の姿勢によって変化する乗員とＧＮＤ間の静電容量を含めずに算出することにより、その大きさに基づいて乗員の姿勢の変化により誤判断することなく乗員の大小、特に、大人か子供かを正確に判別することを可能とする。
【００１２】
【発明の実施の形態】
次に、２つの電極を使用した本発明の乗員判別方法及び装置に係る一実施の形態について説明する。
図１は、本発明を適用する車両等のシート上に設けた２つの電極の配置例を示し、図１（ａ）はシート上に配置した例、図１（ｂ）は背もたれに配置した例をそれぞれ示す図である。図１（ａ）はシート上に配置した例を上部からみた電極配置を示し、図１（ｂ）は背もたれに配置した例をシート前部方向からみた電極配置を示している。何れもシートの左右方向に分離（絶縁）した２枚の電極１、２として配置した例である。同図から分かるようにシート上の乗員が大人か子供かにより、２つの電極を覆う面積が異なり、この面積の差異を判定することができれば、大人か子供かを判定することが可能である。
【００１３】
図２は、本実施の形態の構成を示す図である。シートに設けた２つの電極１、２と、２つの電流電圧変換回路５、６と、前記２つの電極１、２と前記２つの電流電圧変換回路５、６のそれぞれ入力端子５１、６１との間の接続を交互切り替える切り替えスイッチ１１と、前記電流電圧変換回路の一方（同図では電流電圧変換回路５）に設けた容量値の測定用の交流信号源１０と、前記電流電圧変換回路５、６の出力にそれぞれ接続され、それぞれ電極間容量を検出する２つの電極間容量検出回路７、８と、前記電極間容量検出回路７、８の出力に接続され、電極と乗員間の容量及び算出した容量に基づき乗員の大小を判定する演算回路９とから構成される。
【００１４】
また、電流電圧変換回路５、６は、基本構成として例えば出力端子から反転入力端子（入力端子５１、６１）間に負帰還抵抗を接続し、非反転入力端子は基準電位点（直流電位点）に接続された差動増幅器で構成しており、一方の差動増幅器の非反転端子と基準電位点との間に前述の容量値の測定用の交流信号源１０を備える。
各部の機能は以下のとおりである。
【００１５】
切り替えスイッチ１１は、電流電圧変換回路５、６の端子５１、６１間と電極１、２間との接続を切り替える機能を有し、図２に示すスイッチ状態では、交流信号源１０からの交流信号は電流電圧変換回路５−電極１−電極２−電流電圧変換回路６及び電流電圧変換回路５−電極１−静電容量Ｃｇを介して流れ、電極間容量検出回路７には当該電流に対応する電圧信号が入力され、電極間容量検出回路８には電流電圧変換回路６を流れる電流に相当する電圧信号が出力される。
【００１６】
電極間容量検出回路７は、同期検波回路や位相差検出回路等を備え、電流電圧変換回路５に流れる電流と前記交流信号と同期する信号から、電流電圧変換回路５に流れる電流に相当する電圧信号の振幅や位相の変化を検出して、前記電圧や位相差により電流電圧変換回路５側からみた電極間の静電容量を算出する機能を有する。また、電極間容量検出回路８は、電極間容量検出回路７と同様の構成でなり電流電圧変換回路６側からみた電極間の静電容量を算出する機能を有する。つまり、図２に示す状態では、電極１側を交流信号の送信側（印加側）、電極２側を受信側とした場合のそれぞれの電極１、２からみた電極間容量を算出する機能を有する。前述の電極間容量検出回路７、８の機能は、切り替えスイッチ１１が反対側に切り替わった場合にも同様であり、この場合は、電極間容量検出回路７、８は、それぞれ電極２側を送信側、電極１側を受信側とした場合のそれぞれの電極からみた電極間容量を算出する機能を有する。
【００１７】
演算回路９は、電極間容量検出回路７、８において電極１、２の一方を送信側、他方を受信側として算出した２つの電極間容量値の情報に基づいて、電極と乗員間の容量値Ｃ１、Ｃ２を、乗員と車体（ＧＮＤ）間の静電容量Ｃｇの影響を排除してそれぞれ算出する機能を有する。更に、電極と乗員間の容量は、電極を覆う乗員の臀部の面積に比例しており、その大きさから大人か子供かを判断する機能をも有する。後者の機能は、例えば算出した容量値Ｃ１、Ｃ２の合計値（Ｃ１＋Ｃ２）に対し比較回路を使用して、所定の比較閾値と比較することにより、前記閾値との大小関係に基づき乗員が大人か子供かを判断する。また、電圧レベルの低い第２の閾値を設定した比較回路を使用することにより乗員の有無を判別する機能を備えることができる。
【００１８】
（動作の説明）
本発明の乗員判別方法及び装置においては、電極１、２と乗員間のそれぞれの静電容量のみを独立に求めることにより、電極１、２上を覆う面積から乗員の大きさを判断し、大人か子供かを判断可能とする。以下その動作原理を説明する。
図３は、図２に示す乗員判別装置において電極１を送信側とし電極２を受信側とした場合の乗員と電極部分の等価回路を示す図であり、図４は、同乗員判別装置において電極２を送信側とし電極１を受信側とした場合の電極部分の等価回路を示す図である。
図３に示す等価回路において、電極１側から見た静電容量をＣ１１とし、電極２側から見た静電容量をＣ１２とすると、それぞれの静電容量Ｃ１１、Ｃ１２は、
Ｃ１１＝Ｃ１×（Ｃ２＋Ｃｇ）／（Ｃ１＋Ｃ２＋Ｃｇ）………（１）
Ｃ１２＝Ｃ１×Ｃ２／（Ｃ１＋Ｃ２＋Ｃｇ）          ………（２）
という計算式で表せる。（
【００２３】、
【００２４】参照）
【００１９】
図４に示す等価回路において、電極２側からみた静電容量をＣ２２とし、電極１側からみた静電容量をＣ２１とすると、それぞれの静電容量Ｃ２２、Ｃ２１は、
Ｃ２２＝Ｃ２×（Ｃ１＋Ｃｇ）／（Ｃ１＋Ｃ２＋Ｃｇ）………（３）
Ｃ２１＝Ｃ１×Ｃ２／（Ｃ１＋Ｃ２＋Ｃｇ）          ………（４）
という計算式で表せる。（
【００２３】、
【００２４】参照）
【００２０】
（１）式と（２）式のそれぞれの両辺、（３）式と（４）式のそれぞれの両辺をそれぞれ引き算すると、
Ｃ１１−Ｃ１２＝Ｃ１×Ｃｇ／（Ｃ１＋Ｃ２＋Ｃｇ）………（５）
Ｃ２２−Ｃ２１＝Ｃ２×Ｃｇ／（Ｃ１＋Ｃ２＋Ｃｇ）………（６）
が得られ、（５）式の両辺を（６）式の両辺でそれぞれ割り算すると、
（Ｃ１１−Ｃ１２）／（Ｃ２２−Ｃ２１）＝Ｃ１／Ｃ２……（７）
が得られる。次に（２）式の両辺に（７）式の両辺をそれぞれ掛けると、
Ｃ１２×（Ｃ１１−Ｃ１２）／（Ｃ２２−Ｃ２１）＝Ｃ１２／（Ｃ１＋Ｃ２＋Ｃｇ）…………（８）
が得られ、（８）式の両辺を（１）式の両辺にそれぞれ加えると、
Ｃ１１＋Ｃ１２×（Ｃ１１−Ｃ１２）／（Ｃ２２−Ｃ２１）
＝Ｃ１×（Ｃ２＋Ｃｇ）／（Ｃ１＋Ｃ２＋Ｃｇ）＋Ｃ１２／（Ｃ１＋Ｃ２＋Ｃｇ）……（９）
が得られる。この式の右辺は静電容量Ｃ１であるから、
Ｃ１＝Ｃ１１＋Ｃ１２×（Ｃ１１−Ｃ１２）／（Ｃ２２−Ｃ２１）…（１０）
と表すことができる。
【００２１】
同様にして、静電容量Ｃ２についても、
Ｃ２＝Ｃ２２＋Ｃ２１×（Ｃ２２−Ｃ２１）／（Ｃ１１−Ｃ１２）…（１１）
と表すことができる。
【００２２】
得られた（１０）式及び（１１）式から分かるように、この両式は電極１、２を交流信号の送信側と受信側に交互に切り替えることにより電極間容量検出回路７、８から得られる静電容量の容量値のみで成り立っており、乗員とＧＮＤ間の静電容量の容量値Ｃｇの成分は含んでいない。従って、（１０）式及び（１１）式により算出されるそれぞれの容量値は、乗員の姿勢の変化の影響を受けない。
【００２３】
本実施の形態では、前記（１０）式及び（１１）式で算出した静電容量Ｃ１、Ｃ２のそれぞれの容量値の測定結果から、例えばその合計値であるＣ１＋Ｃ２を所定の閾値と比較する等の判定処理を行うことにより、乗員の臀部の大きさを判断することが可能であり、その大きさの判断により大人か子供かの判断を行うことができる。
また、乗員が電極１、２上にいない場合は、（１）〜（４）式は全て同一値になり、その値もごく小さなものとなるため、Ｃ１＝Ｃ１１、Ｃ２＝Ｃ２２大人と子供の判定を行う前記閾値より充分低い第２の閾値を設けることにより、乗員無しを判断するように構成することができる。
【００２４】
（他の実施の形態）
以上説明した実施の形態は、２つの電極を使用した例を示したが、本発明は３つ以上の電極により実現することが可能である。例えば、３つ以上の電極をシート上又はシートの背もたれに配置し、乗員がその内２つ以上の電極を覆うように着座した場合等、同様に送信電極と受信電極の測定データを取得し、同様な連立方程式をとくことにより、それぞれの電極と乗員の間の容量値を算出し、乗員の大きさを判別することが可能である。
図５、６は、４つの電極を使用する場合の本発明の他の実施の形態を示す図である。図５に示すように４つの電極は、シート上又は背もたれ上に配置した例を示す図である。
本実施の形態の乗員判別方法及び装置は、図６に示すように、４つの電極１、２、３、４と基準電位点間に、４つの電流電圧変換回路２１、２２、２３、２４を設けて構成される。同図では、その内の１つの電極１に接続した電流電圧変換回路２１に交流信号を出力する交流信号源１０を設け、電極１を送信側、電極２、３、４を受信側とした場合を示している。
【００２５】
図７は、乗員により形成される静電容量を含む図６の実施の形態の等価回路を示す図である。本実施の形態では、電極の１つを送信側とし、他の電極を受信側とする全ての組み合わせで送信状態と受信状態での電極間容量を測定すると、その値は図７に示す静電容量Ｃ１、Ｃ２、Ｃ３、Ｃ４、Ｃｇを直並列接続したコンデンサ容量になる。つまり、Ｃ２、Ｃ３、Ｃ４の片側は直流電圧（基準電位）Ｖ０、Ｃｇの片側はＧＮＤに接続されているが、回路で取り扱うのは電流の交流成分なので、コンデンサの合成容量は並列つなぎの公式により計算することができ、Ｃ２、Ｃ３、Ｃ４、Ｃｇの並列つなぎとＣ１の直列つなぎの容量となり、送信側で検出される容量値Ｃ（「Ｃ送1」とする）は、
Ｃ送１＝Ｃ１×（Ｃ２＋Ｃ３＋Ｃ４＋Ｃｇ）／（Ｃ１＋Ｃ２＋Ｃ３＋Ｃ４＋Ｃｇ）
次に、受信側の電極２から見た容量値Ｃ（「Ｃ受２」とする）を電圧ｖとして式で表すと、
１／Ｃ受２＝ｖ／ｉ２（Ｃのみの計算なので複素数とωを省略）
図７の電流の関係から、ｉ＝ｉ２＋ｉ３＋ｉ４＋ｉｇであり、Ｃ２とＣ３とＣ４とＣｇの比（２つの並列インピーダンスの各インピーダンスに流れる電流の比はインピーダンス値の逆比になる）から、
0003635640.tif 000002
という関係が成り立つ。
【００２６】
前記式中のｉ１をｉ１＝ｖ／（１／Ｃ送１）と置き換えると（ここでＣ送１は先ほど算出した送信側からみた容量値）、
ｉ２＝ｖＣ送１Ｃ２／（Ｃ２＋Ｃ３＋Ｃ４＋Ｃｇ）
これより、
0003635640.tif 000003
となる。同様に電極３、４についてそれぞれの容量値Ｃ（それぞれ「Ｃ受３」、「Ｃ受４」とする）を計算すると、
Ｃ受３＝Ｃ１Ｃ３／（Ｃ１＋Ｃ２＋Ｃ３＋Ｃ４＋Ｃｇ）
Ｃ受４＝Ｃ１Ｃ４／（Ｃ１＋Ｃ２＋Ｃ３＋Ｃ４＋Ｃｇ）
となる。つまり、
送信側及び受信側の容量値（容量検出値）の一般式は、
送信側：Ｃ＝Ｃｓ×（Ｃｇ＋ΣＣｎ−Ｃｓ）／（Ｃｇ＋ΣＣｎ）
受信側：Ｃ＝Ｃｓ×Ｃｊ／（Ｃｇ＋ΣＣｎ）
ここで、
Ｃｓ  ：送信側の電極と乗員間の容量
Ｃｊ  ：各受信側の電極と乗員間の容量
ΣＣｎ：１からｎまでの電極と乗員間の容量
Ｃｇ  ：乗員とＧＮＤの接近又は接触面で作られる容量
である。
また、乗員がＧＮＤに接触あるいは接近してＣｇ＞＞ΣＣｎとなった場合は、
送信側Ｃ≒Ｃｓ
受信側Ｃ≒０
となるので、乗員の車体等への接触は閾値による判別が可能である。
【００２７】
以上により図７の場合は、図８に示すような電極間容量値が検出される。
次に、図８に示す容量値から電極と乗員間の静電容量値Ｃ１、Ｃ２、Ｃ３、Ｃ４を算出するために前述の電極が２つの場合と同様に４つの電極の検出値を使って計算式をつくる。
【００２８】
電極１、２の電極間容量検出値より、前述と同様に両辺同士の演算を以下のように行う。つまり、（１２）式−（１３）式−（１４）式−（１５）式を計算すると、
Ｃ１１−Ｃ１２−Ｃ１３−Ｃ１４＝Ｃ１×Ｃｇ／（Ｃ１＋Ｃ２＋Ｃ３＋Ｃ４＋Ｃｇ）………………（２８）
（１７）式−（１６）式−（１８）式−（１９）式を計算すると、
Ｃ２２−Ｃ２１−Ｃ２３−Ｃ２４＝Ｃ２×Ｃｇ／（Ｃ１＋Ｃ２＋Ｃ３＋Ｃ４＋Ｃｇ）………………（２９）
（２８）式÷（２９）式により、
（Ｃ１１−Ｃ１２−Ｃ１３−Ｃ１４）／（Ｃ２２−Ｃ２１−Ｃ２３−Ｃ２４）＝Ｃ１／Ｃ２………………（３０）
（１３）×（３０）により、
Ｃ１２×（Ｃ１１−Ｃ１２−Ｃ１３−Ｃ１４）／（Ｃ２２−Ｃ２１−Ｃ２３−Ｃ２４）
＝Ｃ１２／（Ｃ１＋Ｃ２＋Ｃ３＋Ｃ４＋Ｃｇ）……（３１）
（３１）式を（１２）式の両辺に加えると、
0003635640.tif 000004
が得られる。
【００２９】
同様の演算を行い、
電極２、３の電極間容量検出値より、
0003635640.tif 000005
電極３、４の電極間容量検出値より、
0003635640.tif 000006
電極４、１の電極間容量検出値より、
0003635640.tif 000007
となる。なお、上記の電極の組み合わせは１つの例であり、乗員が上に乗っている電極ならば上記の場合以外の組み合わせでも計算式の作成は可能である。
【００３０】
以上の式をまとめると、一般に、乗員が乗っている電極のうち２枚を電極ｎ、電極ｍとした場合、電極ｎと乗員の間の容量Ｃｎは、
Ｃｎ＝Ｃｎｎ＋Ｃｎｍ×（Ｃｎｎ−Ｃｎ受）／（Ｃｍｍ−Ｃｍ受）
Ｃｎｎ：電極ｎを送信にしたときの電極ｎでの検出容量
Ｃｎｍ：電極ｎを送信にしたときの電極ｍでの検出容量
Ｃｎ受：電極ｎを送信にしたときに受信状態になっている電極の検出容量の合計値
Ｃｍｍ：電極ｍを送信にしたときの電極ｍでの検出容量
Ｃｍ受：電極ｍを送信にしたときに受信状態になっている電極の検出容量の合計値
と表すことができる。
【００３１】
また、電極が３つ以上あり、そのうちの少なくとも３つに乗員が乗っている場合なら、その３つの電極の検出値をつかって以下に示すような電極と乗員間の容量の検出式を作ることが可能である。
【００３２】
図８に示す電極間容量検出値のうち、
電極１、２、３の電極間容量検出値より、
Ｃ１＝Ｃ１１+Ｃ１２×Ｃ１３／Ｃ２３
電極２、３、４の電極間容量検出値より、
Ｃ２＝Ｃ２２+Ｃ２３×Ｃ２４／Ｃ３４
電極３、４、１の電極間容量検出値より、
Ｃ３＝Ｃ３３+Ｃ３４×Ｃ３１／Ｃ４１
電極４、１、２の電極間容量検出値より、
Ｃ４＝Ｃ４４+Ｃ４１×Ｃ４２／Ｃ１２
となる。なお、上記の電極の組み合わせは１つの例であり、乗員が上に乗っている電極ならば、上記の場合以外の組み合わせでも計算式の作成は可能である。  以上をまとめると、一般に乗員の乗っている電極のうちの３枚を電極ｎ、電極ｍ、電極ｐとした場合、電極ｎと乗員の間の容量Ｃｎは、
Ｃｎ＝Ｃｎｎ＋Ｃｎｍ×Ｃｎｐ／Ｃｍｐ
Ｃｎｎ：電極ｎを送信にしたときの電極ｎでの検出容量
Ｃｎｍ：電極ｎを送信にしたときの電極ｍでの検出容量
Ｃｎｐ：電極ｎを送信にしたときの受信電極ｐでの検出容量
Ｃｍｐ：電極ｍを送信にしたときの受信電極ｐでの検出容量
となり、前述の電極２つの検出値を使った式より簡単な計算式で表すことができる。
【００３３】
これらの算出式を使い、乗員とＧＮＤ間の静電容量Ｃｇに影響されない電極と乗員の間の容量を算出することで、その大きさから大人か子供かを判別することが可能となる。
【００３４】
以上の実施の形態においては、信号源として、単一の電極に順次接続する単一の信号源を使用した例を説明したが、他の実施の形態として、複数の電極に対応する複数の信号源を使用し、出力する信号の信号レベルを１つの信号源のみを他の信号源の信号レベルと異ならせるように構成しても、乗員の大きさを測定するために必要な容量値が各電極間容量検出回路から取得することが可能である。
【００３５】
図９は、本実施の形態の構成を示す図である。１つのみ振幅が異なる複数の信号源１０１、１０２、１０３、１０４と、これらの信号源と電極１、２、３、４に接続された各電流電圧変換回路３１、３２、３３、３４との間を切り替えるスイッチ回路１１１とを備え、１つの電極に対して印加する交流信号ｖｈの振幅Ｖｈとは異なる振幅Ｖｌの同一周波数の交流信号ｖｌを他の全ての電極に同時に印加し、順次その印加状態を切り替えて容量値を測定するように構成したものである。このような構成を採用しても送信側及び受信側としての信号電流が形成されるので、同様にして各電極の静電容量を測定することが可能であり、乗員とＧＮＤ間の静電容量の影響を排除した各電極の容量値を算出することが可能である。
【００３６】
また、以上の実施の形態では送信側の電極に対して印加する容量測定用の信号として交流信号（交流電圧）を使用する例により説明したが、印加する信号としてはパルス信号を使用することが可能である。この場合、パルス信号により電極に流れる交流成分を抽出して、前記実施の形態と同様の信号レベル又は位相差情報を取得することが可能であり、又はパルス信号の振幅を直接測定することが可能であり、この測定値から電極の静電容量の容量値を計測することができる。
【００３７】
なお、図２に示す実施の形態におけるスイッチ１１では、信号源１０と電流電圧変換回路と電極間容量検出回路を接続した回路を複数の電極に順次切り替えるように構成しているが、このスイッチ１１は、信号源１０のみを各電極（各電極間容量検出回路）に順次接続するように切り替えるように構成を変更しても所望の容量値の測定が可能であることは明らかである。
【００３８】
【発明の効果】
本発明によれば、乗員の大きさを判定するための複数の電極の容量値の測定において、その容量値から乗員とＧＮＤ間の静電容量の容量値（Ｃｇ）をキャンセルできるように、容量値測定用の信号の送信側と受信側の両方の電極の静電容量を測定するように構成したことにより、乗員とＧＮＤ間の静電容量の影響を排除することができ、乗員の大きさ、特に、大人か子供かの判断を誤ることなく行うことが可能である。
【００３９】
【図面の簡単な説明】
【図１】  本発明の実施の形態のシートの電極配置を示す図である。
【図２】  本実施の形態の構成を示す図である。
【図３】  電極１を送信側とした構成の等価回路を示す図である。
【図４】  電極２を送信側とした構成の等価回路を示す図である。
【図５】  ４つの電極を使用した実施の形態のシートの電極配置を示す図である。
【図６】  ４つの電極を使用した実施の形態の構成を示す図である。
【図７】  電極１を送信側とした等価回路を示す図である。
【図８】  各電極の送信状態及び受信状態の組み合わせにおける電極間容量の検出値を示す図である。
【図９】  他の実施の形態の構成を示す図である。
【図１０】  従来例を示す図である。
【符号の説明】
１、２、３、４  電極
５、６、２１、２２、２３、２４、３１、３２、３３、３４  電流電圧変換回路
７、８  電極間容量検出回路
９  演算回路
１０、１０１、１０２、１０３、１０４  容量測定用の交流信号の信号源
１１、１１１  スイッチ回路
【図１】
0003635640.tif 000008
【図２】
0003635640.tif 000009
【図３】
0003635640.tif 000010
【図４】
0003635640.tif 000011
【図５】
0003635640.tif 000012
【図６】
0003635640.tif 000013
【図７】
0003635640.tif 000014
【図８】
0003635640.tif 000015
【図９】
0003635640.tif 000016
【図１０】
0003635640.tif 000017